(57)【要約】      （修正有）【課題】外径が小さくコンパクトなアルバタ式逆ガリレオファインダーを提供する。【解決手段】物体側から負の屈折力を持つ第１群Ｇ１、屈折力を持たない第２群Ｇ２、正の屈折力を持つ第３群Ｇ３から構成され、第１群の最も瞳側の面にアルバダ反射面、第２群に視野枠を設け、第１群は２枚のレンズから構成され、第２群は少なくとも１枚の肉厚のレンズを有し、第１群の焦点距離をｆ１、第３群の焦点距離をｆ３、肉厚のレンズのレンズ厚、屈折率をそれぞれｄ２ａ、ｎ２ａ、第３群の瞳側のレンズ面から瞳面までの距離をＬとするとき、以下の条件を満足する構成とする。（１）０．４５＜｜ｆ１／ｆ３｜＜０．５５（２）１．０＜（ｄ２ａ×ｎ２ａ）／Ｌ＜２．０【選択図】図１
2010032819.tif 000002
【特許請求の範囲】
【請求項１】
物体側から負の屈折力を持つ第１群、屈折力を持たない第２群、正の屈折力を持つ第３群から構成され、前記第１群の最も瞳側の面にアルバダ反射面、前記第２群に視野枠を設け、前記第１群は２枚のレンズから構成され、前記第２群は少なくとも１枚の肉厚のレンズを有し、前記第１群の焦点距離をｆ１、前記第３群の焦点距離をｆ３、前記肉厚のレンズのレンズ厚、屈折率をそれぞれｄ２ａ、ｎ２ａ、前記第３群の瞳側のレンズ面から瞳面までの距離をＬとするとき、以下の条件を満足することを特徴とするアルバダ式逆ガリレオファインダー。
（１）０．４５＜｜ｆ１／ｆ３｜＜０．５５
（２）１．０＜（ｄ２ａ×ｎ２ａ）／Ｌ＜２．０
【請求項２】
前記第１群の物体側レンズは球面と平面で構成され、前記第１群に屈折率１．８以上の高屈折率ガラスを用い、前記物体側レンズの瞳側の曲率半径をｒ２ａとするとき、以下の条件を満足することを特徴とする請求項１に記載のアルバダ式逆ガリレオファインダー。
（３）１４．５≦ｒ２ａ≦１６．５
【請求項３】
前記１乃至３群を構成する各レンズの材料はガラスであることを特徴とする請求項１又は２に記載のアルバダ式逆ガリレオファインダー。
【発明の詳細な説明】
【技術分野】
【０００１】
本発明は、レンズシャッターカメラ等に用いられるアルバダ式逆ガリレオファインダーに関するものである。
【背景技術】
【０００２】
従来、レンズシャッターカメラ用のファインダーとして用いられているアルバダ式逆ガリレオファインダーは、近年カメラの小型化に伴いコンパクト化を求められるよう様になった。ファインダーのコンパクト化の為にはレンズの外径を小さくする必要がある。一般に、負の屈折力を持つ対物系のレンズと正の屈折力を持つ接眼系のレンズからなる逆ガリレオファインダーの外径は対物系のレンズ有効径に支配され、レンズ有効径を下げるには各レンズの屈折力を強くする必要があり、その結果収差補正が困難となる。特開平１−４４４１２号公報では負の屈折力のレンズ、肉厚の正レンズ、正の屈折力をもつレンズから構成され、アルバダ反射面と視野枠面の光路を肉厚のレンズを入れる事によりコンパクト化を実現している。特開平１−５４４１０号公報では負の屈折力のレンズ、正の屈折力のレンズ、正又は負の屈折力のレンズから構成することによりコンパクト化を実現している。また、上記特開平１−４４４１２号公報、特開平１−５４４１０号公報ともに樹脂非球面レンズを使用することにより収差を補正している。
【特許文献１】特開平１−４４４１２号公報
【特許文献２】特開平１−５４４１０号公報
【発明の開示】
【発明が解決しようとする課題】
【０００３】
しかしながら、これらの構成では対物系の負の屈折力を持つレンズが１枚のみである為、中心と周辺の肉厚差が大きくなりレンズを樹脂で製造することが困難となる。また、小型化されたカメラのデザインに合わせる為、よりコンパクトなファインダーを得るには、低い屈折率の樹脂では面の屈折力が強くなってしまい収差補正が困難になる。
【０００４】
本発明の目的は、上記問題を解決し、ファンダー外径が小さくコンパクトなアルバダ式逆ガリレオファインダーを提供することにある。
【課題を解決するための手段】
【０００５】
上記目的を達成するために、本発明のアルバダ式逆ガリレオファンダーは、物体側から負の屈折力を持つ第１群、屈折力を持たない第２群、正の屈折力を持つ第３群から構成され、前記第１群の最も瞳側の面にアルバダ反射面、前記第２群に視野枠を設け、前記第１群は２枚のレンズから構成され、前記第２群は少なくとも１枚の肉厚のレンズを有し、前記第１群の焦点距離をｆ１、前記第３群の焦点距離をｆ３、前記肉厚のレンズのレンズ厚、屈折率をそれぞれｄ２ａ、ｎ２ａ、前記第３群の瞳側のレンズ面から瞳面までの距離をＬとするとき、以下の条件を満足することを特徴とする。
（１）０．４５＜｜ｆ１／ｆ３｜＜０．５５
（２）１．０＜（ｄ２ａ×ｎ２ａ）／Ｌ＜２．０
【０００６】
さらに本発明は、上記発明において、前記第１群の物体側レンズは球面と平面で構成され、第１群に屈折率１．８以上の高屈折率ガラスを用い、第１群の物体側のレンズの瞳側の曲率半径をｒ２ａとするとき、以下の条件を満足することが望ましい。
（３）１４．５≦ｒ２ａ≦１６．５
【０００７】
さらに本発明は、上記発明において、前記１乃至３群を構成する各レンズの材料はガラスであることを特徴とする。
【発明の効果】
【０００８】
本発明によれば、第１群に高屈折率ガラスを使用し、第２群に屈折力を持たない肉厚のレンズを入れる事により外径が小さくコンパクトなアルバタ式逆ガリレオファインダーを達成することができる。
【０００９】
さらに、本発明を実施のアルバタ式逆ガリレオファインダーにおいて、第１群に屈折率１．８以上の高屈折ガラスを使用することにより、レンズ外径を小さくしながらも、ガラスを使用することによりクリアなアルバタ式逆ガリレオファインダーを提供することができる。
【発明を実施するための最良の形態】
【００１０】
条件式（１）は、ファインダー倍率を規定するものである。条件式（１）の下限を超えるとレンズ外径は小さくなるが、第１群の屈折力が大きくなる為、第１群の非点収差の補正が困難になる。また、ファインダー倍率が低くなる為見辛なってしまう。条件式（１）の上限を超えるとファインダー倍率は高くなるが、レンズ外径が大きくなり、コンパクト化が達成できなくなる。
【００１１】
条件式（２）は、第２群の肉厚のレンズ厚を規定するものである。条件式（２）の下限を超えると第２群の屈折力が大きくなる為、ファインダー倍率が高くなるが、アルバダ反射面の屈折力、第２群の屈折力が大きくなる為、光像枠視野枠像の収差補正が困難となる。条件式（２）の上限を超えると光路長が長くなり収差補正は容易になるが、第２群屈折力が小さくなり倍率が低くなってしまう。
【００１２】
条件式（３）は、第１群の物体側のレンズに関するものである。条件式（３）の下限を超えると面の屈折力が大きくなり収差補正が困難になる。条件式（３）の上限を超えるとレンズの外径が大きくなりコンパクトが達成できなくなる。
【００１３】
以下に、本発明のアルバダ式逆ガリレオファインダーの実施例１〜３を示す。ここで（全体諸元）中、２ωは画角、φｅは瞳径を示す。（レンズ諸元）中、番号は物体側から順にレンズの面番号、ｒはレンズ面の曲率半径、ｄはレンズ面間隔、ｎはｄ線の屈折率、νはアッベ数を示す。また、アルバダ反射面にはＡ、視野枠面にはＦを面番号の横に示す。
【００１４】
（実施例１）
（全体諸元）
視度＝−１Ｄｐｔ
２ω＝５６．２°
φｅ＝４．０ｍｍ
（レンズ諸元）
番号      ｒ            ｄ      ｎ      ν
[
1]      0.0000      2.0000 
1.80420 46.50
[
2]     16.5000      1.6700             
[
3]      0.0000      1.6000 
1.80420 46.50
[
4]  A  45.2800      0.6000             
[
5]      0.0000     13.5000  1.51680
64.20
[
6]  F   0.0000      0.3500             
[
7]     36.0600      2.6000  1.65844
50.85
[
8]    -36.0600     15.0000
（条件値）
（１）｜ｆ１／ｆ３｜＝０．５２
（２）（ｄ２×ｎ２）／Ｌ＝１．３７
（３）ｒ２ａ＝１６．５
【００１５】
（実施例２）
（全体諸元）
視度＝−１Ｄｐｔ
２ω＝７６．４°
φｅ＝４．０ｍｍ
（レンズ諸元）
番号      ｒ            ｄ      ｎ      ν
[
1]      0.0000      1.5000 
1.88300 40.80
[
2]     14.5000      2.6700             
[
3]    -90.0000      1.0000  1.80420
46.50
[
4]  A  59.6000      0.5000             
[
5]      0.0000     13.5000  1.51680
64.20
[
6]  F   0.0000      0.3900             
[
7]     39.4000      2.5200 
1.80420 46.50
[
8]    -39.4000     15.0000              
（条件値）
（１）｜ｆ１／ｆ３｜＝０．４６
（２）（ｄ２×ｎ２）／Ｌ＝１．３７
（３）ｒ２ａ＝１４．５
【００１６】
（実施例３）
（全体諸元）
視度＝−１Ｄｐｔ
２ω＝５６．２°
φｅ＝４．０ｍｍ
（レンズ諸元）
番号      ｒ            ｄ      ｎ      ν
[
1]    200.0000      1.5000  1.80420
46.50
[
2]     15.0000      2.0000             
[ 3]      0.0000     
1.0000  1.80420 46.50
[
4]  A  45.3000      1.0000             
[
5]      0.0000     12.5000  1.51680
64.20
[
6]      0.0000      0.2000             
[ 7]  F 
0.0000      1.0000  1.51680 64.20
[ 8] 
0.0000      0.1500         
[ 9]    
55.0000      3.0000  1.77250 49.62
[10]   
-35.4000     15.0000              
（条件値）
（１）｜ｆ１／ｆ３｜＝０．５１
（２）（ｄ２×ｎ２）／Ｌ＝１．２６
（３）ｒ２ａ＝１５．０
【図面の簡単な説明】
【００１７】
【図１】実施例１のレンズ断面図である。
【図２】実施例１の逆ガリレオの諸収差図である。
【図３】実施例１のアルバダの諸収差図である。
【図４】実施例２のレンズ断面図である。
【図５】実施例２の逆ガリレオの諸収差図である。
【図６】実施例２のアルバダの諸収差図である。
【図７】実施例３のレンズ断面図である。
【図８】実施例３の逆ガリレオの諸収差図である。
【図９】実施例３のアルバダの諸収差図である。
【符号の説明】
【００１８】
Ｇ１      第１群
Ｇ２      第２群
Ｇ３      第３群
Ｅ．Ｐ．  瞳位置
【図１】
2010032819.tif 000003
【図２】
2010032819.tif 000004
【図３】
2010032819.tif 000005
【図４】
2010032819.tif 000006
【図５】
2010032819.tif 000007
【図６】
2010032819.tif 000008
【図７】
2010032819.tif 000009
【図８】
2010032819.tif 000010
【図９】
2010032819.tif 000011
【手続補正書】
【提出日】平成20年7月30日(2008.7.30)
【手続補正１】
【補正対象書類名】明細書
【補正対象項目名】００１４
【補正方法】変更
【補正の内容】
【００１４】
（実施例１）
（全体諸元）
視度＝−１Ｄｐｔ
２ω＝５６．２°
φｅ＝４．０ｍｍ
（レンズ諸元）
2010032819.tif 000012
（条件値）
（１）｜ｆ１／ｆ３｜＝０．５２
（２）（ｄ２×ｎ２）／Ｌ＝１．３７
（３）ｒ２ａ＝１６．５
【手続補正２】
【補正対象書類名】明細書
【補正対象項目名】００１５
【補正方法】変更
【補正の内容】
【００１５】
（実施例２）
（全体諸元）
視度＝−１Ｄｐｔ
２ω＝７６．４°
φｅ＝４．０ｍｍ
（レンズ諸元）
2010032819.tif 000013
（条件値）
（１）｜ｆ１／ｆ３｜＝０．４６
（２）（ｄ２×ｎ２）／Ｌ＝１．３７
（３）ｒ２ａ＝１４．５
【手続補正３】
【補正対象書類名】明細書
【補正対象項目名】００１６
【補正方法】変更
【補正の内容】
【００１６】
（実施例３）
（全体諸元）
視度＝−１Ｄｐｔ
２ω＝５６．２°
φｅ＝４．０ｍｍ
（レンズ諸元）
2010032819.tif 000014
（条件値）
（１）｜ｆ１／ｆ３｜＝０．５１
（２）（ｄ２×ｎ２）／Ｌ＝１．２６
（３）ｒ２ａ＝１５．０